(57)【要約】【課題】熱カシメが正常に行われているか否かを容易に判別することのできるレンズホルダを提供することを目的とする。【解決手段】熱可塑性樹脂から樹脂成形する際に、レンズホルダ６の端部６ｃに小突起１０を設ける。レンズホルダ６の孔６ａにレンズ２を落とし込み、発熱しているヘッド部１６を降下させて端部６ｃに押し当てると、小突起１０とともに端部６ｃの樹脂が加熱されて溶融変形する。ヘッド部１６を上昇させると、溶融変形した樹脂が冷えて再固化し、レンズホルダ６にレンズ２が保持される。この熱カシメによって小突起１０が消失するからレンズホルダ６が熱カシメされたか否かを容易に判別できる。【選択図】図２
2007212657.tif 000002
【特許請求の範囲】
【請求項１】
熱可塑性樹脂によって樹脂成形され、一部を加熱・加圧変形させる熱カシメによってレンズを保持するレンズホルダにおいて、
前記熱カシメされる部分に、前記加熱・加圧変形によって消失する目印を前記樹脂成形によって予め設けたことを特徴とするレンズホルダ。
【請求項２】
前記目印は、視認される突起または凹みであることを特徴とする請求項１記載のレンズホルダ。
【請求項３】
熱可塑性樹脂によって樹脂成形され、一部を加熱・加圧変形させる熱カシメによってレンズを保持するレンズホルダにおいて、
前記熱カシメは、凸部または凹部が形成されたヘッド部を有するヒータによって行われ、前記熱カシメによって視認される凹部または凸部が形成されることを特徴とするレンズホルダ。
【請求項４】
熱可塑性樹脂によって樹脂成形され、一部を加熱・加圧変形させる熱カシメによってレンズを保持するレンズホルダにおいて、
前記熱可塑性樹脂に、前記加熱・加圧変形によって発色する添加剤を混入したことを特徴とするレンズホルダ。
【発明の詳細な説明】
【技術分野】
【０００１】
本発明は、レンズホルダに関し、更に詳しくは、熱カシメによってレンズを保持する樹脂製のレンズホルダに関するものである。
【背景技術】
【０００２】
レンズを保持するレンズホルダとしては、熱可塑性樹脂によって成形されたものが多く用いられている。このようなレンズホルダは円筒形をしており、その内側にレンズの外周部を受ける受け面が設けられている。このようなレンズホルダにレンズを保持させるには、熱カシメが用いられる。これは、作業性の向上や部品点数の削減など、コストダウンに寄与するためである。
【０００３】
前記熱カシメでは、まずレンズホルダの筒内にレンズを落とし込んでから、そのレンズホルダをヒータのヘッド部の下方部にセットし、ヘッド部を降下させる。ヘッド部がレンズの挿入口の縁部に押し当てられ、縁部がヘッド部によって加熱・加圧される。これにより、前記縁部が溶融変形してレンズ側へ迫り出す。所定時間経過後に、ヒータのヘッド部を上昇させると、前記溶融変形された縁部が冷却して再固化し、レンズがレンズホルダに保持される（例えば特許文献１）。
【特許文献１】特開２００１−５１１７６号公報
【発明の開示】
【発明が解決しようとする課題】
【０００４】
上記のような熱カシメでは、外観上の変化が少ないため、正常に熱カシメが行われたか否かが一見して判別できにくいという問題がある。このため、作業漏れがあっても発見しづらく、不良品が流出するおそれがある。
【０００５】
本発明は、上記のような問題点を解決するためになされたもので、熱カシメが正常に行われているか否かを容易に判別することができるレンズホルダを提供することを目的とする。
【課題を解決するための手段】
【０００６】
本発明のレンズホルダは、熱可塑性樹脂によって樹脂成形され、一部を加熱・加圧変形させる熱カシメによってレンズを保持するレンズホルダにおいて、前記熱カシメされる部分に、前記加熱・加圧変形によって消失する目印を前記樹脂成形によって予め設けたことを特徴とする。また、前記目印は、視認される突起または凹みであることを特徴とする。
【０００７】
また、熱可塑性樹脂によって樹脂成形され、一部を加熱・加圧変形させる熱カシメによってレンズを保持するレンズホルダにおいて、前記熱カシメは、凸部または凹部が形成されたヘッド部を有するヒータによって行われ、前記熱カシメによって視認される凹部または凸部が形成されることを特徴とする。
【０００８】
また、熱可塑性樹脂によって樹脂成形され、一部を加熱・加圧変形させる熱カシメによってレンズを保持するレンズホルダにおいて、前記熱可塑性樹脂に、前記加熱・加圧変形によって発色する添加剤を混入したことを特徴とする。
【発明の効果】
【０００９】
本発明のレンズホルダによれば、熱カシメされる部分に、加熱・加圧変形によって消失する目印を前記樹脂成形によって予め設けたので、熱カシメが正常に行われたか否かを目視や画像処理によって確認できる。前記目印は、視認される突起又は凹みとすることが望ましい。
【００１０】
また、レンズホルダの熱カシメは、凸部または凹部が形成されたヘッド部を有するヒータによって行われ、前記熱カシメによって視認される凹部または凸部が形成されるので、熱カシメが正常に行われたか否かを目視や画像処理によって確認できる。
【００１１】
また、レンズホルダの熱可塑性樹脂に加熱・加圧変形によって発色する添加剤を混入したので、熱カシメが正常に行われたか否かを目視や画像処理によって確認できる。
【発明を実施するための最良の形態】
【００１２】
本発明の実施形態であるレンズホルダと、これに保持されるレンズを示す図１において、レンズ２は、ガラスからなる両凸レンズである。また、レンズホルダ６は、熱可塑性樹脂のポリカーボネートによって射出成形され、ほぼ円筒形状をしている。
【００１３】
前記レンズホルダ６の下方部内側には、前記レンズ２をレンズホルダ６の孔６ａに落とし込んだ際にレンズ２の外周部を支持する突条のレンズ受け部６ｂが形成されている。このレンズ受け部６ｂにレンズ２の外周部が支持された状態で、前記レンズ２を挿入する側の端部６ｃの孔６ａ側の縁部６ｄよりも孔６ａの奥にレンズ２の外周部がセットされるように、前記縁部６ｄの位置が設定されている。
【００１４】
前記縁部６ｄを一方の縁とする端部６ｃの端面６ｅは、前記縁部６ｄを頂上とするテーパー状に形成されており（図２（Ａ）参照）、前記縁部６ｄ近傍には、一対のほぼ三角形状をした小突起１０が形成されている。この小突起１０は、熱カシメによってレンズ２をレンズホルダ６に固定する際に加熱溶融される端部６ｃ（端面６ｅを含む）と一緒に溶融して跡形もなくなる（消失する）ため、前記端部６ｃを溶融したか否かの目印となる。なお、前記小突起１０の角は面取りされている。
【００１５】
次に、上記実施形態の作用について図２を参照して説明する。まず、レンズ２を端部６ｃ側からレンズホルダ６の孔６ａに落とし込むと、レンズ２の外周部がレンズ受け部６ｂに支持される（Ａ）。この後、レンズホルダ６を加熱装置１５の下方にセットし、加熱装置１５のヘッド部１６を降下させると（Ｂ）、端部６ｃがヘッド部１６によって加熱・加圧され、溶融する。
【００１６】
ここで、上述したように端部６ｃの端面６ｅがテーパー形状であり、また端面６ｅに接触されるヘッド部１６の加熱面１６ａが、その周端部が突出するようにテーパー状に形成されているから、加熱面１６ａによって加熱溶融された端部６ｃは孔６ａ側に迫り出すように変形し、レンズ２の外周部を覆う（Ｃ）。この後、ヘッド部１６を上昇させると、端部６ｃが固化してレンズ２がレンズホルダ６に保持される。
【００１７】
また、前記端部６ｃの溶融と同時に、図３に示すように、前記小突起１０が溶融して消失するから、前記レンズホルダ６に対して熱カシメが行われたか否かが一目で分かる。なお、小突起１０が消失したか否かの確認は、目視の他、ＣＣＤカメラの撮影による画像認識で行ってもよい。
【００１８】
なお、上記実施形態の小突起１０の角を面取りしたが、この面取りを省略してもよい。また、レンズホルダ６に形成される小突起１０は、見やすく、成形しやすければよく、例えば、図４に示すように、円柱状をした小突起２０などでもよい。上記実施形態では、小突起を目印としたが、目視または画像確認で熱カシメが正常に行われたか否かを確認できればよく、凹み或いは、凹部や凸部からなるマーク、文字、シボなどでもよい。また、上記実施形態では、レンズホルダ６に形成された目印の数は、二つであったが、一つまたは三つ以上でもよい。また、目印は、レンズホルダの縁部により近い方が、熱カシメによって綺麗に潰せるので好ましい。
【００１９】
上記実施形態では、レンズホルダが熱カシメされたか否かを確認するための目印（小突起１０）を熱カシメによって消失するようにしたが、逆に現出するようにしてもよい。図５に示すように、加熱装置２５のヘッド部２７の加熱面２７ａに、例えば文字「ＯＫ」の反転文字を表す一対の凸部２９を設け、前記小突起１０を省略したレンズホルダ３０を熱カシメすると、図６に示すように、文字「ＯＫ」を表す一対の凹部３１が形成され、熱カシメが行われたか否かを目視や画像処理によって確認できる。なお、文字は「ＯＫ」に限らないのは勿論である。また、ヘッド部に凹部を設け、熱カシメによって凸部が形成されるようにしてもよい。
【００２０】
また、上記実施形態では、熱カシメが行われたか否かを確認するための目印を消失又は現出するようにしたが、本発明はこれに限定されることなく、レンズホルダの熱カシメされた部分が変色するようにしてもよい。これを実施するには、レンズホルダの樹脂成形時に、添加剤として熱発色性の樹脂を混入するのがよい。また、熱カシメされる部分に加熱によって変色する塗料を塗布してもよい。なお、本発明のレンズホルダに保持されるレンズは、ガラス製以外でもよく、例えば、プラスチック製でもよい。
【図面の簡単な説明】
【００２１】
【図１】本発明の実施形態のレンズホルダ及びこれに保持されるレンズを示す外観斜視図である。
【図２】レンズホルダにレンズを保持する工程を示す説明図である。
【図３】熱カシメされた後のレンズホルダを示す外観斜視図である。
【図４】レンズホルダに設けられる突起の別の例を示す図である。
【図５】別の実施形態に係る加熱装置のヘッド部を示す斜視図である。
【図６】図５に示すヘッド部によって熱カシメされた後の状態を示す斜視図である。
【符号の説明】
【００２２】
２  レンズ
６，３０  レンズホルダ
６ｄ  縁部
１０，２０  小突起
１５，  加熱装置
１６，２７  ヘッド部
２９  凸部
３１  凹部
【図１】
2007212657.tif 000003
【図２】
2007212657.tif 000004
【図３】
2007212657.tif 000005
【図４】
2007212657.tif 000006
【図５】
2007212657.tif 000007
【図６】
2007212657.tif 000008